(57)【要約】【課題】ＣＣＤ型固体撮像素子におけるスミア補正で縦スジの固定パターンノイズを低減する。【解決手段】同色カラーフィルタを搭載した複数の画素の各々から読み出された撮像画像信号を隣接する２本の垂直電荷転送路が転送し出力するＣＣＤ型固体撮像素子のスミア補正方法であって、前記２本の垂直電荷転送路により転送されてきたオプティカルブラック部からのスミア信号を加算平均した値を該垂直電荷転送路により転送されてきた前記撮像画像信号のスミア成分１４としてスミア補正する。【選択図】図７
2011101170.tif 000002
【特許請求の範囲】
【請求項１】
同色カラーフィルタを搭載した複数の画素の各々から読み出された撮像画像信号を隣接する２本の垂直電荷転送路が転送し出力するＣＣＤ型固体撮像素子のスミア補正方法であって、前記２本の垂直電荷転送路により転送されてきたオプティカルブラック部からのスミア信号を加算平均した値を該垂直電荷転送路により転送されてきた前記撮像画像信号のスミア成分としてスミア補正するＣＣＤ型固体撮像素子のスミア補正方法。
【請求項２】
請求項１に記載のＣＣＤ型固体撮像素子のスミア補正方法であって、前記加算平均を信号処理で行うＣＣＤ型固体撮像素子のスミア補正方法。
【請求項３】
請求項１に記載のＣＣＤ型固体撮像素子のスミア補正方法であって、前記加算平均をＣＣＤ型固体撮像素子内部の電荷混合で行うＣＣＤ型固体撮像素子のスミア補正方法。
【請求項４】
請求項１に記載のＣＣＤ型固体撮像素子のスミア補正方法であって、前記カラーフィルタがベイヤ配列され、正方状に最隣接する４画素のカラーフィルタをＲ，Ｇ１，Ｇ２，Ｂとし、Ｒ画素とＧ１画素のスミアを加算平均し、Ｇ２画素とＢ画素のスミアを加算平均して前記スミア成分を求めるＣＣＤ型固体撮像素子のスミア補正方法。
【請求項５】
請求項１に記載のＣＣＤ型固体撮像素子のスミア補正方法であって、前記カラーフィルタがベイヤ配列され、正方状に最隣接する４画素のカラーフィルタをＲ，Ｇ１，Ｇ２，Ｂとし、Ｒ画素とＢ画素のスミアを加算平均し、Ｇ１画素とＧ２画素のスミアを加算平均して前記スミア成分を求めるＣＣＤ型固体撮像素子のスミア補正方法。
【請求項６】
請求項１に記載のＣＣＤ型固体撮像素子のスミア補正方法であって、前記カラーフィルタがベイヤ配列され、正方状に最隣接する４画素のカラーフィルタをＲ，Ｇ１，Ｇ２，Ｂとし、Ｒ画素とＧ１画素とＧ２画素とＢ画素のスミアを加算平均して前記スミア成分を求めるＣＣＤ型固体撮像素子のスミア補正方法。
【請求項７】
同色カラーフィルタを搭載した複数の画素の各々から読み出された撮像画像信号を隣接する２本の垂直電荷転送路が転送し出力するＣＣＤ型固体撮像素子と、請求項１乃至請求項６のいずれかに記載のＣＣＤ型固体撮像素子のスミア補正方法を実施するスミア補正手段とを備える撮像装置。
【発明の詳細な説明】
【技術分野】
【０００１】
本発明は、ＣＣＤ型固体撮像素子のスミア補正方法及び撮像装置に関する。
【背景技術】
【０００２】
ＣＣＤ（Charge Coupled Devices）型の固体撮像素子は、半導体基板の表面部に二次元アレイ状に複数の受光素子（フォトダイオードＰＤ：以下、画素ともいう。）が配列形成され、該画素で構成された複数の画素列に沿って垂直電荷転送路（ＶＣＣＤ）が形成され、各垂直電荷転送路の転送方向端部に沿って水平電荷転送路（ＨＣＣＤ）が形成される。
【０００３】
画素が形成される領域は、中央部の有効画素領域と、その周辺部のＯＢ部（オプティカルブラック部：ＯＢ部の画素は遮光膜で覆われている。）とに分けられ、有効画素領域の画素が検出した映像信号値から、ＯＢ部の画素が検出した黒レベル信号値を減算し、真の映像信号成分を求めることが行われる。
【０００４】
この様なＣＣＤ型の固体撮像素子では、垂直電荷転送路内に例えば迷光が浸入してスミア電荷が発生し、これが撮像画像中に輝線となって現れる現象が発生する。水平電荷転送路と有効画素領域との間にあるＯＢ部の画素が検出する黒レベル信号は、ＯＢ部内の水平方向に隣接する画素間（垂直電荷転送路間）でそれほど違いは無い。しかし、ＯＢ部で検出されるスミア電荷は、垂直電荷転送路間での違いが大きくなる。
【０００５】
そこで、例えば特許文献１，２に記載されている様に、ＯＢ部から読み出した信号に基づいてスミア成分を求め、有効画素領域の画素から読み出した撮像画像信号からスミア成分を減算するスミア補正を行うことになる。これを図１０〜図１３を用いて説明する。
【０００６】
図１０は、カラーフィルタがベイヤ配列された固体撮像素子の画素配列を示している。各画素列は、Ｒ（赤）フィルタ搭載画素（以下、Ｒ画素という。）とＧ２（緑）フィルタ搭載画素（以下、Ｇ２画素という。）とが交互に配列された画素列と、Ｇ１（緑）フィルタ搭載画素（以下、Ｇ１画素という。）とＢ（青）フィルタ搭載画素（以下、Ｂ画素という。）とが交互に配列された画素列とが交互に設けられている。Ｇ１，Ｇ２は、共に緑色フィルタで同色であるが、画素列を区別するために、「１」「２」を付けている。
【０００７】
図１１は、Ｒ画素，Ｇ１画素，Ｇ２画素，Ｂ画素の各信号に重畳するスミア成分を例示している。Ｒ画素とＧ２画素は同一垂直電荷転送路で信号電荷が転送されるため同一スミア成分１１となっており、Ｇ１画素とＢ画素も同一垂直電荷転送路で信号電荷が転送されるため同一スミア成分１２となっている。
【０００８】
図１２は、各画素の映像信号成分１３Ｒ，１３Ｇ１，１３Ｇ２，１３Ｂを示しており、図１１に示すスミア成分１１，１２に加算された状態で検出される。この図１２の状態で検出される信号に対してスミア補正を行うのであるが、このとき、特許文献１に記載されている様に、或る所定の閾値を設定し、スミア補正のオン／オフ制御を切り替えることが行われる。
【０００９】
このとき、閾値が、隣接する垂直電荷転送路のスミア成分１１，１２の中間値に設定されてしまう場合が起こり得る。この様な場合が生じると、図１３に示す様に、Ｒ画素の信号としてはスミア補正が行われた映像信号成分１３Ｒが得られ、Ｇ１画素の信号としては映像信号成分１３Ｇ１にスミア成分１２が加算された信号（すなわち、スミア補正が行われない信号）が得られ、Ｇ２画素の信号としては映像信号成分１３Ｇ２（スミア補正有り）が得られ、Ｂ画素の信号としては映像信号成分１３Ｂにスミア成分１２が加算された信号（スミア補正無し）が得られることになる。
【００１０】
この結果、Ｇ１画素とＧ２画素の間、すなわち隣接する同色画素間で大きな信号レベル差ａが発生し、元々の図１２のＧ１画素とＧ２画素の間の信号レベル差ｘより大きくなってしまう。つまり、スミア補正を行うことで、Ｇ１画素の信号とＧ２画素の信号との間に大きな段差が発生してしまう。これは、撮像画像中に縦スジの固定パターンノイズとして現れ、見栄えの悪い画像となる。
【００１１】
スミア補正を行うに当たり、例えば下記の特許文献３，４に記載されている様に、スミア成分の検出に際して水平方向にローパスフィルタ処理を行う技術も存在する。スミア成分の検出にローパスフィルタ処理を施せば、ローパスフィルタ処理を施す、例えば隣接する５列とか１０列とかの垂直電荷転送路間でのスミア補正オン／オフの判断を統一することができる。
【００１２】
しかしながら、スミアという現象は垂直電荷転送路を単位として起きるため、広い範囲でローパスフィルタ処理を施すと、却って別の固定パターンノイズを発生させる虞が生じる。
【００１３】
また、近年の固体撮像素子は、１０００万画素以上を搭載するのが普通になってきている。このため、広い範囲でスミア成分をローパスフィルタ処理しなければならないと、信号読出に支障を来してしまい、特に、動画のフレームレートを上げることができないという問題も生じる。
【先行技術文献】
【特許文献】
【００１４】
【特許文献１】特開２００７―８１８５８号公報
【特許文献２】特開２００８―２３６１９１号公報
【特許文献３】特開２００９―１００２８３号公報段落〔００４３〕
【特許文献４】特開２００５―１５９５６４号公報段落〔００２４〕
【発明の概要】
【発明が解決しようとする課題】
【００１５】
本発明の目的は、ＣＣＤ型固体撮像素子において、スミアに起因する固定パターンノイズを抑制し、しかも、撮像画像信号の高速読出を可能とするＣＣＤ型固体撮像素子のスミア補正方法及び撮像装置を提供することにある。
【課題を解決するための手段】
【００１６】
本発明のＣＣＤ型固体撮像素子のスミア補正方法は、同色カラーフィルタを搭載した複数の画素の各々から読み出された撮像画像信号を隣接する２本の垂直電荷転送路が転送し出力するＣＣＤ型固体撮像素子のスミア補正方法であって、前記２本の垂直電荷転送路により転送されてきたオプティカルブラック部からのスミア信号を加算平均した値を該垂直電荷転送路により転送されてきた前記撮像画像信号のスミア成分としてスミア補正することを特徴とする。
【００１７】
本発明の撮像装置は、同色カラーフィルタを搭載した複数の画素の各々から読み出された撮像画像信号を隣接する２本の垂直電荷転送路が転送し出力するＣＣＤ型固体撮像素子と、上記に記載のＣＣＤ型固体撮像素子のスミア補正方法を実施するスミア補正手段とを備えることを特徴とする。
【発明の効果】
【００１８】
本発明によれば、高速にスミア補正を適切に行うことが可能となり、高品質な被写体画像を撮像することが可能となる。
【図面の簡単な説明】
【００１９】
【図１】本発明の一実施形態に係る撮像装置の機能ブロック構成図である。
【図２】図１に示すＣＣＤ型の固体撮像素子の一例を示す表面模式図である。
【図３】図２に示す固体撮像素子のうち有効画素領域と使用するＯＢ部を示す図である。
【図４】図３に示す固体撮像素子から出力される信号順を説明する図である。
【図５】本発明の一実施形態のスミア補正方法の説明図である。
【図６】本発明の一実施形態に係るスミア電荷の固体撮像素子からの出力順を説明する図である。
【図７】本発明の一実施形態に係るスミア成分の算出例を説明する図である。
【図８】本発明の一実施形態に係るスミア成分の別の算出例を説明する図である。
【図９】本発明の一実施形態に係るスミア成分の更に別の算出例を説明する図である。
【図１０】ベイヤ配列を説明する図である。
【図１１】ベイヤ配列のＲ画素，Ｇ１画素，Ｇ２画素，Ｂ画素の出力に加算されるスミア成分の一例を示す図である。
【図１２】図１１に示すスミア成分に映像信号が加算された状態を示す図である。
【図１３】従来のスミア補正を説明する図である。
【発明を実施するための形態】
【００２０】
以下、本発明の一実施形態について、図面を参照して説明する。
【００２１】
図１は、本発明の一実施形態に係る撮像装置の機能ブロック構成図である。この撮像装置２０は、被写体からの入射光を集光する撮影レンズ２１と、撮影レンズ２１の結像位置に配置されたＣＣＤ型の固体撮像素子２２と、固体撮像素子２２の出力に接続されたＡＦＥ（アナログフロントエンド）回路２３と、ＡＦＥ回路２３から出力されるデジタルの撮像画像信号を信号処理する信号処理部（ＤＳＰ）２４と、信号処理部２４で画像処理された撮像画像信号をＪＰＥＧ画像等に圧縮したり逆に伸張したりする圧縮伸張処理部２５と、このＪＰＥＧ画像等を保存する記録メディア２６と、撮像画像信号を撮像装置背面等に設けられる液晶表示部２８に表示する表示制御回路２７とを備える。
【００２２】
ＡＦＥ回路２３は、固体撮像素子２２から出力されるアナログの撮像画像信号に対して相関二重サンプリング処理（ＣＤＳ）を行い、更に利得制御し、その後にデジタル信号に変換するＡ／Ｄ回路等を備えると共に、固体撮像素子２２の駆動タイミング制御を行うタイミングジェネレータ（ＴＧ）を備える。
【００２３】
信号処理部２４は、ＡＦＥ回路２３から出力されるデジタルの撮像画像信号に対して、スミア成分を減算するスミア補正部（スミア演算部）２４ａと、スミア演算後の撮像画像信号に対してオフセット処理やガンマ補正処理，ＲＧＢ／ＹＣ変換処理等の周知の画像処理を施して被写体の撮像画像信号を生成する信号処理回路２４ｂを備える。
【００２４】
図２は、図１に示す固体撮像素子２２の表面模式図である。半導体基板の表面部には、二次元アレイ状に、図示する例では正方格子状に複数の画素３１が配列形成されており、各画素列に沿って垂直電荷転送路（ＶＣＣＤ）３２が形成されている。
【００２５】
各垂直電荷転送路３２の転送方向端部に沿って水平電荷転送路（ＨＣＣＤ）３３が形成され、水平電荷転送路３３の転送方向端部に、転送されてきた信号電荷の電荷量に応じた電圧値信号を撮像画像信号として出力するアンプ３４が設けられている。
【００２６】
本実施形態の固体撮像素子２２は、原色系のカラーフィルタＲ，Ｇ，Ｂが、図１０と同様にベイヤ配列されているものとして説明するが、本発明はベイヤ配列に限るものではなく、水平方向に隣接する画素列間に同色画素が存在する様なカラーフィルタ配列一般に適用できる。例えば、横ストライプのカラーフィルタ配列でも良い。また、画素配列は正方格子配列に限るものではなく、奇数行の画素行に対して偶数行の画素行が１／２画素ピッチずらして配列された所謂ハニカム画素配列にも適用可能である。
【００２７】
図２に示す画素が形成された領域は、中央部の矩形の有効画素領域３５と、周囲のＯＢ部３６に分けられている。ＯＢ部３６の画素は遮光膜で覆われており、入射光が入射しない状態の信号を検出する様になっている。
【００２８】
ＯＢ部３６は、有効画素領域３５の四周に設けられるが、本実施形態ではスミア補正について説明するため、水平電荷転送路３３の反対側のＯＢ部３６の検出信号だけ用いる。従って、以下、図３を用いて説明する。
【００２９】
図３に示す様に、有効画素領域３５には、水平電荷転送路３３側から、第１水平ライン，第２水平ライン，…，第ｎ水平ラインの画素行が設けられており、続いて、ＯＢ部３６の第ｎ＋１ライン，…，第ｎ＋ｉラインの画素行が設けられている。
【００３０】
なお、「垂直」「水平」という用語を用いて説明したが、これは、半導体基板の表面に沿う「１方向」「この１方向に対して直角の方向」という意味に過ぎない。
【００３１】
図４は、第１ライン〜第ｎライン，第ｎ＋１ライン〜第ｎ＋ｉラインまでの信号を垂直同期（ＶＤ）信号毎に読み出す信号順を示している。最初に有効画素領域３５内の撮像画像信号（映像信号）が読み出され、続いて１垂直同期期間の終わりの段階でＯＢ部３６の信号が読み出され、再び次の垂直同期信号によりこの順で信号が読み出される。
【００３２】
映像信号中に記載しているＲ，Ｇ１，Ｇ２，Ｂは、夫々、Ｒ画素の映像信号，Ｇ１画素の映像信号，Ｇ２画素の映像信号，Ｂ画素の映像信号を示している。ＯＢ部信号に記載しているＲ，Ｇ１，Ｇ２，Ｂは、夫々、ＯＢ部中のＲ画素の黒レベル信号，ＯＢ部中のＧ１画素の黒レベル信号，ＯＢ部中のＧ２画素の黒レベル信号，ＯＢ部中のＢ画素の黒レベル信号である。
【００３３】
水平電荷転送路３３と反対側にあるＯＢ部（図３のＯＢ部３６）は、スミア成分の影響を受けた信号であるため、このＯＢ部の信号からスミア成分を求め、次の映像信号からスミア成分を減算処理することで、スミア補正を行う。このとき、本実施形態では、次の様にしてスミア成分を求めている。
【００３４】
図５は、本発明の実施形態に係るスミア成分の算出方法を説明する図である。図５（ａ）は、図１２と同じであり、隣接する２列の画素列におけるＲ画素，Ｇ１画素，Ｇ２画素，Ｂ画素の各出力信号であり、各々の垂直電荷転送路のスミア成分に各画素の撮像画像信号が加算された信号として出力されている。
【００３５】
従来の場合には、図１１に示す様に、各垂直電荷転送路毎にスミア成分１１，１２を検出し、スミア補正のオン／オフを閾値で判断したが、本実施形態では、各垂直電荷転送路毎のスミア成分１１，１２を求めることはせずに、図５（ｂ）に示す様に、２列の垂直電荷転送路のスミア成分を加算平均した値１４をスミア成分として求め、この値をスミア補正のオン／オフを判断する閾値としても用いている。
【００３６】
従って、２列の４色画素Ｒ，Ｇ１，Ｇ２，Ｂの各出力信号（図５（ａ））から、同一スミア成分値１４を減算し、図５（ｃ）に示すスミア補正後の信号を得ている。これにより、同色のＧ１画素の信号とＧ２画素の信号との段差は、図１３の信号差ａより小さくなり、縦スジノイズを軽減することが可能となる。
【００３７】
この様に、本実施形態では、隣接する２列の垂直電荷転送路によって転送されてきたＯＢ部の水平２画素の信号を加算しスミア成分を求め、スミア補正を行うのであるが、具体的方法として２つの方法がある。
【００３８】
第１の方法は、信号電荷のまま水平電荷転送路上で加算する方法である。固体撮像素子２２内で電荷加算を行う場合、有効画素領域内の各画素の信号電荷の加算は行わず、ＯＢ部の信号電荷の加算を行うため、有効画素領域の信号転送駆動と、ＯＢ部の信号転送駆動を別々の駆動方法にし両方の駆動方法を切り替えるスミア補正手段を設ける必要がある。この場合の信号出力順を図６に示す。この場合には、ＯＢ部出力が加算値となり、ＡＦＥ回路２３での処理負荷が軽減し、処理速度も向上し、ＡＦＥ回路２３のコスト低減を図ることが可能となる。
【００３９】
第２の方法は、従来通り、各垂直電荷転送路毎のスミア成分１１，１２を求めてラインメモリ等に記憶しておき、隣接する信号１１，１２を加算平均することでスミア成分１４を求めるスミア補正手段を設ければ済む。この方法は、固体撮像素子２２の駆動に工夫を必要とせず、ＡＦＥ回路２３での加算平均処理負荷が若干増えるだけである。しかも、次の様な加算平均処理も可能となる。
【００４０】
例えば、第１列，第２列，第３列，第４列，第５列，…という垂直電荷転送路の各スミア成分の２列の加算平均処理を行う場合、第１の方法では、（第１列＋第２列）／２，（第３列＋第４列）／２，…となってしまうが、第２の方法では、（第１列＋第２列）／２，（第２列＋第３列）／２，（第３列＋第４列）／２、…として演算することができ、縦スジノイズをより低減できるスミア成分の算出が可能となる。
【００４１】
いずれの方法でも、２列の加算平均処理であるため、処理を高速に行うことができ、縦スジの固定ノイズパターンを低減することが可能となる。
【００４２】
次に、加算平均処理の方法について説明する。図７（ａ）に示す様に、加算平均前の、赤色ＲのスミアをＳｒ，緑色Ｇ１のスミアをＳg1，緑色Ｇ２のスミアをＳg2，青色ＢのスミアをＳｂと定義する。また、図７（ｂ）に示す様に、加算平均後の、赤色ＲのスミアをＳｒave，緑色Ｇ１のスミアをＳg1ave，緑色Ｇ２のスミアをＳg2ave，青色ＢのスミアをＳｂaveと定義する。
【００４３】
加算平均処理は、
Ｓｒave＝（Ｓｒ＋Ｓg1）／２
Ｓg1ave＝（Ｓｒ＋Ｓg1）／２
Ｓg2ave＝（Ｓg2＋Ｓｂ）／２
Ｓｂave＝（Ｓg2＋Ｓｂ）／２
として計算する。
【００４４】
これにより、画素Ｇ１と画素Ｇ２の信号段差が軽減され、固定パターンノイズが低減される。
【００４５】
図８は、別の加算平均処理を説明する図である。加算平均処理の前後の上記の定義は同じであり、図８（ａ）は図７（ａ）と同じである。本実施形態の加算平均処理は、
Ｓｒave＝（Ｓｒ＋Ｓｂ）／２
Ｓg1ave＝（Ｓg1＋Ｓg2）／２
Ｓg2ave＝（Ｓg1＋Ｓg2）／２
Ｓｂave＝（Ｓｒ＋Ｓｂ）／２
として計算する。
【００４６】
図９は、更に別の加算平均処理を説明する図である。加算平均処理の前後の上記の定義は同じであり、図９（ａ）は図７（ａ）と同じである。本実施形態の加算平均処理は、
Ｓｒave＝（Ｓｒ＋Ｓg1＋Ｓg2＋Ｓｂ）／４
Ｓg1ave＝（Ｓｒ＋Ｓg1＋Ｓg2＋Ｓｂ）／４
Ｓg2ave＝（Ｓｒ＋Ｓg1＋Ｓg2＋Ｓｂ）／４
Ｓｂave＝（Ｓｒ＋Ｓg1＋Ｓg2＋Ｓｂ）／４
として計算する。
【００４７】
以上によっても、画素Ｇ１と画素Ｇ２の信号段差が軽減され、固定パターンノイズが低減される。
【００４８】
以上述べた様に、本実施形態によるＣＣＤ型固体撮像素子のスミア補正方法は、同色カラーフィルタを搭載した複数の画素の各々から読み出された撮像画像信号を隣接する２本の垂直電荷転送路が転送し出力するＣＣＤ型固体撮像素子のスミア補正方法であって、前記２本の垂直電荷転送路により転送されてきたオプティカルブラック部からのスミア信号を加算平均した値を該垂直電荷転送路により転送されてきた前記撮像画像信号のスミア成分としてスミア補正することを特徴とする。
【００４９】
また、実施形態のＣＣＤ型固体撮像素子のスミア補正方法は、前記加算平均を信号処理で行うことを特徴とする。
【００５０】
また、実施形態のＣＣＤ型固体撮像素子のスミア補正方法は、前記加算平均をＣＣＤ型固体撮像素子内部の電荷混合で行うことを特徴とする。
【００５１】
また、実施形態のＣＣＤ型固体撮像素子のスミア補正方法は、前記カラーフィルタがベイヤ配列され、正方状に最隣接する４画素のカラーフィルタをＲ，Ｇ１，Ｇ２，Ｂとし、Ｒ画素とＧ１画素のスミアを加算平均し、Ｇ２画素とＢ画素のスミアを加算平均して前記スミア成分を求めることを特徴とする。
【００５２】
また、実施形態のＣＣＤ型固体撮像素子のスミア補正方法は、前記カラーフィルタがベイヤ配列され、正方状に最隣接する４画素のカラーフィルタをＲ，Ｇ１，Ｇ２，Ｂとし、Ｒ画素とＢ画素のスミアを加算平均し、Ｇ１画素とＧ２画素のスミアを加算平均して前記スミア成分を求めることを特徴とする。
【００５３】
また、実施形態のＣＣＤ型固体撮像素子のスミア補正方法は、前記カラーフィルタがベイヤ配列され、正方状に最隣接する４画素のカラーフィルタをＲ，Ｇ１，Ｇ２，Ｂとし、Ｒ画素とＧ１画素とＧ２画素とＢ画素のスミアを加算平均して前記スミア成分を求めることを特徴とする。
【００５４】
また、実施形態の撮像装置は、同色カラーフィルタを搭載した複数の画素の各々から読み出された撮像画像信号を隣接する２本の垂直電荷転送路が転送し出力するＣＣＤ型固体撮像素子と、上記のいずれかに記載のＣＣＤ型固体撮像素子のスミア補正方法を実施するスミア補正手段とを備えることを特徴とする。
【００５５】
本実施形態によれば、色を無視してスミア値を加算平均しスミア補正を行うため、色毎のスミア値の大小関係による誤補正を行うことなく高速に適切なスミア補正ができ、縦スジの固定パターンノイズを軽減させることが可能となる。
【産業上の利用可能性】
【００５６】
本発明に係る固体撮像素子のスミア補正方法は、高速にスミア補正を行うことができるため、デジタルスチルカメラやデジタルビデオカメラ、カメラ付携帯電話機、ＰＤＡやノートパソコン等のカメラ付電子装置、内視鏡等の撮像装置一般に適用すると有用である。
【符号の説明】
【００５７】
１１，１２，１４  スミア成分
２０  撮像装置
２２  ＣＣＤ型固体撮像素子
２４  信号処理部
２４ａ  スミア演算部
３１  画素
３２  垂直電荷転送路（ＶＣＣＤ）
３３  水平電荷転送路（ＨＣＣＤ）
３５  有効画素領域
３６  ＯＢ部
【図１】
2011101170.tif 000003
【図２】
2011101170.tif 000004
【図３】
2011101170.tif 000005
【図４】
2011101170.tif 000006
【図５】
2011101170.tif 000007
【図６】
2011101170.tif 000008
【図７】
2011101170.tif 000009
【図８】
2011101170.tif 000010
【図９】
2011101170.tif 000011
【図１０】
2011101170.tif 000012
【図１１】
2011101170.tif 000013
【図１２】
2011101170.tif 000014
【図１３】
2011101170.tif 000015